(57)【特許請求の範囲】
【請求項１】
画素を有する発光装置の作製方法であって、
前記画素は第１のバンクと第２のバンクにより区切られ、
塗布部が、ノズルとロッドにより構成され、
前記第１のバンクと前記第２のバンクの間に、前記塗布部によりストライプ状の塗布液が塗布され、
前記塗布液は、ノズルからロッドを伝って画素電極表面に塗布され、
前記ロッドの先端部は球状とされており、
前記ノズルの内壁は前記塗布液に対して疎水性であり、前記ロッドの表面は前記塗布液に対して親水性であることを特徴とする発光装置の作製方法。
【発明の詳細な説明】
【技術分野】
【０００１】
本発明は、陽極、陰極及びそれらの間にＥＬ（Electro Luminescence）が得られる発光
性材料、特に発光性有機材料（以下、有機ＥＬ材料という）を挟んだ構造でなるＥＬ素子
の作製に用いる薄膜形成装置及びそれを用いた発光装置の作製方法に関する。
【背景技術】
【０００２】
近年、有機ＥＬ材料のＥＬ現象を利用した自発光素子としてＥＬ素子を用いた表示装置
（ＥＬ表示装置）の開発が進んでいる。ＥＬ表示装置は自発光型であるため、液晶表示装
置のようなバックライトが不要であり、さらに視野角が広いため、屋外で使用する携帯型
機器の表示部として有望視されている。
【０００３】
ＥＬ表示装置にはパッシブ型（単純マトリクス型）とアクティブ型（アクティブマトリ
クス型）の二種類があり、どちらも盛んに開発が行われている。特に現在はアクティブマ
トリクス型ＥＬ表示装置が注目されている。また、ＥＬ素子の発光層となるＥＬ材料は、
有機材料と無機材料があり、さらに有機材料は低分子系（モノマー系）有機ＥＬ材料と高
分子系（ポリマー系）有機ＥＬ材料とに分けられる。両者ともに盛んに研究されているが
、低分子系有機ＥＬ材料よりも取り扱いが容易で耐熱性の高いポリマー系有機ＥＬ材料が
注目されている。
【０００４】
ところが、有機ＥＬ材料は酸化することで容易に分子構造が変化してしまい、発光能力
を失ってしまう。即ち、有機ＥＬ材料からなる発光層が酸化することによってＥＬ素子が
発光能力を失い劣化する。従って、有機ＥＬ材料を成膜した後は、有機ＥＬ材料の酸化を
促進する酸素（Ｏ2）を極力排除することが、信頼性の高いＥＬ素子を形成するためには
必要である。
【０００５】
低分子系有機ＥＬ材料の場合、真空下での蒸着法により成膜が行われるため素子中への
酸素の混入は殆ど問題とならない。また、有機ＥＬ材料を形成したあとは、大気解放しな
いで密閉空間に封入してしまうため、成膜工程から一貫して外気（大気）に触れさせるこ
となくＥＬ素子を完成させることができる。
【０００６】
ところが、高分子系有機ＥＬ材料の場合、真空中での成膜が困難であるため、窒素また
は希ガスといった不活性ガス中でインクジェット法、スピンコート法または印刷法を用い
て行われる。また、高分子系有機ＥＬ材料は特に酸素に弱く、僅かな酸素の存在によって
容易に酸化し、劣化してしまう。不活性ガス中の酸素濃度を１ｐｐｍ以下とすることでほ
ぼ問題のないレベルにまで劣化を抑制することは可能であるが、さらに長期の信頼性を確
保するには問題がある。
【発明の概要】
【発明が解決しようとする課題】
【０００７】
本発明は上記問題点を鑑みてなされたものであり、発光生材料を用いた発光装置の信頼
性をさらに高めるための方法を提供することを課題とする。また、そのような信頼性の高
い発光装置を形成するための成膜装置を提供することを課題とする。
【課題を解決するための手段】
【０００８】
本発明では、ＥＬ材料（特に有機ＥＬ材料）を成膜するに先だって、成膜室の内部で周
期表の１族または２族に属する元素（アルカリ金属元素またはアルカリ土類金属元素）を
酸化させ、成膜室の内部の酸素を除去することを特徴とする。
即ち、アルカリ金属元素またはアルカリ土類金属元素の非常に酸化し易い性質を利用し、
化学的に酸素を除去する（ゲッタリングする）ことを特徴とする。
【０００９】
具体的には、成膜室の内部に設けられた酸化用セルに周期表の１族または２族に属する
元素を設置し、前記酸化用セルにて周期表の１族または２族に属する元素を酸化させる。
このとき、室温で酸化しない元素を用いる場合は酸化用セルを加熱すれば良い。また、室
温で酸化する元素を用いる場合はアルコールで保存したりして酸素の供給を絶ったまま酸
化用セル内に密閉し、成膜室に搬入してから酸化させる。
【００１０】
本発明を実施した場合、周期表の１族または２族に属する元素が酸化している間、成膜
室の内部に存在する酸素は周期表の１族または２族に属する元素との酸化反応により消費
される。即ち、周期表の１族または２族に属する元素が酸素をゲッタリングすると考えて
も良い。
【００１１】
本発明は、特に高分子系有機ＥＬ材料を液相法（インクジェット法、スピンコート法、
印刷法またはディスペンス法）により成膜する際の前処理として実施することが有効であ
るが、低分子系有機ＥＬ材料を気相法（蒸着法またはスパッタ法）により成膜する際の前
処理として行うことも可能である。
【００１２】
以上のように、ＥＬ材料を成膜する前処理として、成膜室内において周期表の１族また
は２族に属する元素と酸素との酸化反応を利用する。これにより成膜室内の酸素濃度を１
ｐｐｂ以下（好ましくは０．１ｐｐｂ以下）にすることが可能となる。その結果、酸素濃
度が１ｐｐｂ以下（好ましくは０．１ｐｐｂ以下）の不活性雰囲気でＥＬ材料を成膜する
ことが可能となる。即ち、無酸素に近い状態でＥＬ素子を形成することが可能となり、従
来以上に信頼性の高いＥＬ表示装置が得られる。
【発明の効果】
【００１３】
本発明の成膜装置を用いることで、ＥＬ材料からなる発光層の劣化を最小限に抑制する
ことができ、ＥＬ素子の信頼性を高めることができる。従って、ＥＬ素子を用いた発光装
置の信頼性を大幅に向上させることが可能となる。
【図面の簡単な説明】
【００１４】
【図１】成膜装置の構造を示す図。
【図２】液相成膜室の構造を示す図。
【図３】液相成膜室の構造を示す図。
【図４】液相成膜室の構造を示す図。
【図５】液相成膜室に備えられたヘッド部の構成を示す図。
【図６】液相成膜室に備えられたヘッド部の構成を示す図。
【図７】液相成膜室に備えられたヘッド部の構成を示す図。
【図８】ＥＬ表示装置の断面構造を示す図。
【図９】ＥＬ表示装置の断面構造を示す図。
【発明を実施するための形態】
【００１５】
本発明の成膜装置について図１、図２を用いて説明する。図１において、１０１は搬送
室（Ａ）であり、搬送室（Ａ）１０１には搬送機構（Ａ）１０２が備えられ、基板１０３
の搬送が行われる。搬送室（Ａ）１０１は減圧雰囲気にされており、各処理室とはゲート
によって遮断されている。各処理室への基板の受け渡しは、ゲートを開けた際に搬送機構
（Ａ）１０２によって行われる。また、搬送室（Ａ）１０１を減圧するには、油回転ポン
プ、メカニカルブースターポンプ、ターボ分子ポンプ若しくはクライオポンプなどの排気
ポンプを用いることが可能であるが、水分の除去に効果的なクライオポンプが好ましい。
【００１６】
図１の成膜装置では、搬送室（Ａ）１０１の側面に排気ポート１０４が設けられ、その
下に排気ポンプが設置される。このような構造とすると排気ポンプのメンテナンスが容易
になるという利点がある。
【００１７】
以下に、各処理室についての説明を行う。なお、搬送室（Ａ）１０１は減圧雰囲気とな
るので、搬送室（Ａ）１０１に直接的に連結された処理室には全て排気ポンプ（図示せず
）が備えられている。排気ポンプとしては上述の油回転ポンプ、メカニカルブースターポ
ンプ、ターボ分子ポンプ若しくはクライオポンプが用いられる。
【００１８】
まず、１０５は基板のセッティング（設置）を行うストック室であり、ロードロック室
とも呼ばれる。ストック室１０５はゲート１００aにより搬送室（Ａ）
１０１と遮断され、ここに基板１０３をセットしたキャリア（図示せず）が配置される。
なお、ストック室１０５は基板搬入用と基板搬出用とで部屋が区別されていても良い。ま
た、ストック室１０５は上述の排気ポンプと高純度の窒素ガスまたは希ガスを導入するた
めのパージラインを備えている。
【００１９】
また、本実施例では基板１０３を、素子形成面を下向きにしてキャリアにセットする。
これは後に気相成膜（スパッタまたは蒸着による成膜）を行う際に、フェイスダウン方式
（デポアップ方式ともいう）を行いやすくするためである。フェイスダウン方式とは、基
板の素子形成面が下を向いた状態で成膜する方式をいい、この方式によればゴミの付着な
どを抑えることができる。
【００２０】
次に、１０６は搬送室（Ｂ）であり、ストック室１０５とはゲート１００bを介して連
結され、搬送機構（Ｂ）１０７を備えている。また、１０８は焼成室（ベーク室）であり
、ゲート１００cを介して搬送室（Ｂ）１０６と連結している。なお、焼成室１０８は基
板の面の上下を反転させる機構を有する。即ち、フェイスダウン方式で搬送されてきた基
板はここで一旦フェイスアップ方式に切り替わる。これは次の液相成膜室１０９での処理
がフェイスアップ方式で行えるようにするためである。また逆に、液相成膜室１０９で処
理を終えた基板は再び焼成室１０８に戻ってきて焼成され、再び上下を反転させてフェイ
スダウン方式に切り替わり、ストック室１０５へ戻る。
【００２１】
ところで液相成膜室１０９はゲート１００dを介して搬送室（Ｂ）１０６と連結してい
る。液相成膜室１０９はＥＬ材料を含む溶液を基板上に塗布することでＥＬ材料を含む膜
を形成する成膜室であり、本発明では液相成膜室１０９で高分子系（ポリマー系）有機Ｅ
Ｌ材料を成膜する。なお、成膜されるＥＬ材料は、発光層として用いるものだけでなく、
電荷注入層または電荷輸送層をも含む。また、公知の如何なる高分子系有機ＥＬ材料を用
いても良い。
【００２２】
発光層となる代表的な有機ＥＬ材料としては、ＰＰＶ（ポリパラフェニレンビニレン）
誘導体、ＰＶＫ（ポリビニルカルバゾール）誘導体またはポリフルオレン誘導体が挙げら
れる。これはπ共役ポリマーとも呼ばれる。また、電荷注入層としては、ＰＥＤＯＴ（ポ
リチオフェン）またはＰＡｎｉ（ポリアニリン）が挙げられる。
【００２３】
ここで液相成膜室１０９の詳細な説明を、図２を用いて行う。なお、本実施形態では液
相成膜室１０９としてスピンコータ室を用いた例を示す。但し、スピンコータに限定する
必要はなく、液相成膜室はディスペンサー、印刷またはインクジェットを用いた成膜室で
あっても構わない。
【００２４】
図２（Ａ）は液相成膜室１０９を上面から見た図である。２０１は塗布カップであり、
その中心にチャック２０２が設けられ、搬送されてきた基板２０３はチャック２０２に支
持される。また、２０４は塗布ノズルであり、先端部から有機ＥＬ材料が吐出される。
【００２５】
さらに、本発明では液相成膜室１０９に酸化セル（酸化室）２０５が設けられている。
本発明では、この酸化セル２０５内で周期表の１族または２族に属する元素からなる固体
（以下、酸化剤という）を酸化（燃焼）させ、液相成膜室１０９の内部の酸素をゲッタリ
ング（捕獲）する。このとき、ゲート１００dを閉めておけば液相成膜室１０９は密閉空
間となるため、効率良く酸素をゲッタリングすることができる。
【００２６】
また、図２（Ｂ）は液相成膜室１０９を、図２（Ａ）のＡ−Ａ’で切断した断面を見た
図である。チャック２０２は回転軸２０６に連結しており、回転軸２０６は軸受けとなる
制御機構２０７によって駆動される。また、酸化セル２０５の下にはヒータ２０８が設置
され、酸化セル２０５内に設けられた酸化剤２０９は、ヒータ２０８によって加熱されて
酸化する。なお、酸化セル２０５自体に電流を流して抵抗加熱により酸化剤２０９を酸化
させても良い。
【００２７】
また、酸化セル２０５の入り口に密閉可能な蓋を設け、その蓋を開閉することで酸化剤
２０９の酸化する時間を調節することもできる。このような方式は室温で自然発火するよ
うな元素（代表的にはナトリウム）を用いる場合に有効な手法である。即ち、有機ＥＬ材
料を成膜する前に所定の時間だけ酸化剤２０９を酸化させ、蓋を閉めて酸化セル２０５を
密閉して酸素の供給を断つことで酸化を強制的に終了させる。そして、再び基板が搬送さ
れてきたら蓋を開け、酸化剤２０９を酸化させる。この繰り返しにより複数枚の基板を酸
化剤の交換なしで処理することが可能となり、製造スループットを向上させることができ
る。
【００２８】
以上のように、図１に示した成膜装置は液相成膜室１０９に酸化セル２０５が備えられ
ており、防塵板２１０で液相成膜室１０９を密閉空間とすることができる。そのため、酸
化セル２０５内で周期表の１族または２族に属する元素を酸化させることで容易に成膜雰
囲気中の酸素を除去することができる。即ち、酸素濃度が１ｐｐｂ以下（好ましくは０．
１ｐｐｂ以下）の不活性雰囲気中で有機ＥＬ材料を成膜することが可能となる。
【００２９】
また、このような不活性雰囲気を与圧（好ましくは２〜３気圧）としておくことで液相
成膜室１０９内の圧力を高め、酸素の混入を極力防ぐ手段をとっても良い。
【００３０】
次に、１１０で示されるのはＥＬ素子の画素電極となる陰極もしくは陽極の表面を処理
する処理室（以下、前処理室という）であり、前処理室１１０はゲート１００eにより搬
送室（Ａ）１０１と遮断される。前処理室はＥＬ素子の作製プロセスによって様々に変え
ることができるが、本実施例では画素電極の表面に紫外光を照射しつつ１００〜１２０℃
で加熱できるようにする。このような前処理は、ＥＬ素子の陽極表面を処理する際に有効
である。
【００３１】
次に、１１１は蒸着法またはスパッタ法により導電膜または有機ＥＬ材料を形成するた
めの気相成膜室であり、ゲート１００fを介して搬送室（Ａ）１０１に連結される。本実
施形態では気相成膜室１１１として蒸着室を設けており、内部に複数の蒸着源を設置でき
る。また、抵抗加熱または電子ビームにより蒸着源を蒸発させ、成膜を行うことができる
。
【００３２】
この気相成膜室１１１で形成される導電膜はＥＬ素子の陰極側の電極として設けられる
導電膜であり、仕事関数の小さい金属、代表的には周期表の１族もしくは２族に属する元
素（代表的にはリチウム、マグネシウム、セシウム、カルシウム、カリウム、バリウム、
ナトリウムもしくはベリリウム）またはそれらに近い仕事関数をもつ金属を蒸着できる。
また、低抵抗な導電膜としてアルミニウム、銅もしくは銀を蒸着することもできる。さら
に、透明導電膜として酸化インジウムと酸化スズとの化合物からなる導電膜や酸化インジ
ウムと酸化亜鉛との化合物からなる導電膜を蒸着法により形成することも可能である。
【００３３】
また、気相成膜室１１１では公知のあらゆるＥＬ材料（特に低分子系有機ＥＬ材料）を
形成することが可能である。発光層の代表例としてはＡｌｑ3（トリス−８−キノリノラ
トアルミニウム錯体）もしくはＤＳＡ（ジスチルアリーレン誘導体）があり、電荷注入層
の代表例としてはＣｕＰｃ（銅フタロシアニン）、ＬｉＦ（フッ化リチウム）もしくはａ
ｃａｃＫ（カリウムアセチルアセトネート）
があり、電荷輸送層の代表例としてはＴＰＤ（トリフェニルアミン誘導体）もしくはＮＰ
Ｄ（アントラセン誘導体）が挙げられる。
【００３４】
また、上記ＥＬ材料と蛍光物質（代表的には、クマリン６、ルブレン、ナイルレッド、
ＤＣＭ、キナクリドン等）とを共蒸着することも可能である。蛍光物質としては公知の如
何なる材料を用いても良い。また、ＥＬ材料と周期表の１族または２族に属する元素とを
共蒸着して発光層の一部に電荷輸送層または電荷注入層としての役割をもたせることも可
能である。なお、共蒸着とは、同時に蒸着源を加熱し、成膜段階で異なる物質を混合する
蒸着法をいう。
【００３５】
いずれにしてもゲート１００fによって搬送室（Ａ）１０１と遮断され、真空下で有機
ＥＬ材料または導電膜の成膜が行われる。なお、成膜はフェイスダウン方式（デポアップ
方式）で行われる。
【００３６】
次に、１１２は封止室（封入室またはグローブボックスともいう）であり、ゲート１０
０gを介して搬送室（Ａ）１０１に連結されている。封止室１１２では、最終的にＥＬ素
子を密閉空間に封入するための処理が行われる。この処理は形成されたＥＬ素子を酸素や
水分から保護するための処理であり、シーリング材で機械的に封入する、又は熱硬化性樹
脂若しくは紫外光硬化性樹脂で封入するといった手段を用いる。
【００３７】
シーリング材としては、ガラス、セラミックス、金属などの材料を用いることができる
が、シーリング材側に光を出射する場合は透光性でなければならない。
また、シーリング材と上記ＥＬ素子が形成された基板とは熱硬化性樹脂又は紫外光硬化性
樹脂を用いて貼り合わせられ、熱処理又は紫外光照射処理によって樹脂を硬化させて密閉
空間を形成する。この密閉空間の中に酸化バリウム等の乾燥剤を設けることも有効である
。
【００３８】
また、シーリング材とＥＬ素子の形成された基板との空間を熱硬化性樹脂若しくは紫外
光硬化性樹脂で充填することも可能である。この場合、熱硬化性樹脂若しくは紫外光硬化
性樹脂の中に酸化バリウム等の乾燥剤を添加しておくことは有効である。
【００３９】
図１に示した成膜装置では、封止室１１２の内部に紫外光を照射するための機構（以下
、紫外光照射機構という）１１３が設けられており、この紫外光照射機構１１３から発し
た紫外光によって紫外光硬化性樹脂を硬化させる構成となっている。なお、封止室１１２
内の作業は、グローブを用いた手作業であっても構わないが、コンピュータ制御により機
械的に行われるような構造となっていることが好ましい。シーリング材を用いる場合には
、液晶のセル組み工程で用いられるようなシール剤（ここでは熱硬化性樹脂若しくは紫外
光硬化性樹脂）を塗布する機構と、基板を貼り合わせる機構と、シール剤を硬化させる機
構とが組み込まれていることが好ましい。
【００４０】
また、封止室１１２の内部は排気ポンプを取り付けることで減圧することも可能である
。上記封入工程をロボット操作で機械的に行う場合には、減圧下で行うことで酸素や水分
の混入を防ぐことができる。また、逆に封止室１１２の内部を与圧とすることも可能であ
る。この場合、高純度な窒素ガスや希ガスでパージしつつ与圧とし、外気から酸素等が侵
入することを防ぐ。
【００４１】
次に、封止室１１２には受渡室（パスボックス）１１４が連結される。受渡室１１４に
は搬送機構（Ｃ）１１５が設けられ、封止室１１２でＥＬ素子の封入が完了した基板を受
渡室１１４へと搬送する。受渡室１１４も排気ポンプを取り付けることで減圧することが
可能である。この受渡室１１４は封止室１１２を直接外気に晒さないようにするための設
備であり、ここから基板を取り出す。
【００４２】
以上のように、図１に示した成膜装置を用いることで完全にＥＬ素子を密閉空間に封入
するまで外気に晒さずに済む。さらに、液相成膜室１０９では、酸素濃度が１ｐｐｂ以下
の不活性雰囲気にて有機ＥＬ材料の成膜を行うため、殆ど酸素のない状態での成膜が可能
となる。以上のことから従来以上に信頼性の高いＥＬ表示装置を作製することが可能とな
る。
【実施例１】
【００４３】
本実施例では、図１に示した液相成膜室１０９とは異なる構造の液相成膜室を設けた例
について図３を用いて説明する。図３（Ａ）は液相成膜室３０１の上面図であり、塗布カ
ップ２０１、チャック２０２、基板２０３及び塗布ノズル２０４は図２と同様である。図
３に示した成膜装置の特徴は、図２の酸化セル２０５の代わりに酸化炉３０２を成膜装置
の外部に設け、配管３０３により液相成膜室３０１と酸化炉３０２とを連結している点に
ある。
【００４４】
即ち、図３（Ｂ）に示すように防塵フード３１０の一部に配管３０３の一方の口（吸気
口）が取り付けられ、配管３０３のもう一方の口（排気口）が酸化炉３０２に取り付けら
れている。
【００４５】
また、図３（Ｃ）に示すように酸化炉３０２は酸化セル３０４、ヒータ３０５を有し、
酸化セル３０４の内部には周期表の１族または２族に属する元素からなる酸化剤３０６が
設置される。また、本実施例では酸化セル３０４への酸素の供給を遮断するシャッタ３０
７も設けられている。
【００４６】
本実施例では、酸化炉３０２の内部で酸化剤３０６が酸化（燃焼）する。そのとき、消
費された酸素は配管３０３を通じて液相成膜室３０１から供給され、その結果、液相成膜
室３０１の内部の酸素濃度が減少する。図１の成膜装置と根本的に異なる点は、成膜装置
の近くに熱源を備えなくて済む点が挙げられる。液相成膜室３０１で成膜される高分子系
有機ＥＬ材料は有機溶媒に溶かして塗布されるため、熱源が遠い方が管理は容易である。
【００４７】
なお、本実施例の液相成膜室３０１は図１に示した成膜装置の成膜室の一つとして用い
ることが可能である。
【実施例２】
【００４８】
本実施例では、図１の成膜装置において液相成膜室として赤色、緑色及び青色の発光層
をストライプ状に形成する液相成膜室を設けた例を示す。本実施例の液相成膜室について
図４を用いて説明する。
【００４９】
図４（Ａ）は本実施例の液相成膜室４００を側面からみた外観図であり、図４（Ｂ）は
前面からみた外観図である。図４（Ａ）において、４０１は支持台、４０２は搬送ステー
ジであり、その上に基板４０３が固定される。搬送ステージ４０２はＸ方向（横方向）ま
たはＹ方向（縦方向）に移動が可能である。
【００５０】
支持台４０１には支持柱４０４、ホルダー４０５が取り付けられ、搬送ステージ４０２
の上方に塗布ユニット４０６が設置される。塗布ユニット４０６は有機ＥＬ材料を含む溶
液を基板上に塗布するための機構を備えた装置であり、ヘッド部４０７に圧縮ガス（加圧
された不活性ガス）を送ったり、有機ＥＬ材料を含む溶液を供給する装置である。このと
き、塗布ユニット４０６にはサックバック機構（サックバックバルブまたはエアオペレー
ションバルブを備えた機構）を設けることが好ましい。サックバック機構とは、ダイヤフ
ラムゲージ等を用いた容積変化を利用して配管内の圧力を下げることにより、配管等のノ
ズル口に溜まった液滴をノズル内に引き込むための機構である。
【００５１】
また、上記塗布ユニット等は支持台４０１に取り付けられた防塵フード４０８に覆われ
ている。防塵フード４０８には基板を搬送するための入り口が設けられているが、その部
分にはゲートが設けられ、支持台４０１と防塵フード４０８とで密閉空間が形成される。
【００５２】
そして、支持台４０１には酸化セル４０９、ヒータ４１０及び酸化剤４１１が設けられ
、有機ＥＬ材料を成膜する前に酸化剤４１１の酸化が行われる。
【００５３】
また、図４の液相成膜室４００ではヘッド部４０７が固定され、基板４０３を載せた搬
送ステージ４０２がＸ方向またはＹ方向へと移動する。即ち、搬送ステージが移動するこ
とにより相対的にヘッド部４０７が基板４０３上を移動するような機構となっている。勿
論、ヘッド部４０７の方を移動させるような機構とすることも可能であるが、基板側を移
動させた方が安定性は良い。
【００５４】
以上の構成の液相成膜室４００は、有機ＥＬ材料（厳密には有機ＥＬ材料を溶媒に溶か
した混合物）の供給口となるノズルを備えたヘッド部４０７が基板４０３上を移動するこ
とにより、基板の必要箇所へ有機ＥＬ材料を塗布していく。ここでヘッド部４０７により
有機ＥＬ材料を塗布していく過程を以下に説明する。
【００５５】
図５（Ａ）に示したのは、本発明を実施してπ共役系ポリマーでなる有機ＥＬ材料を成
膜する様子を模式的に示す図である。図５（Ａ）において、５１０は基板であり、基板５
１０上には画素部５１１、ソース側駆動回路５１２、ゲート側駆動回路５１３がＴＦＴに
より形成されている。ソース側駆動回路５１２に接続された複数のソース配線とゲート側
駆動回路５１３に接続された複数のゲート配線とで囲まれた領域が画素であり、画素内に
はＴＦＴと該ＴＦＴに電気的に接続されたＥＬ素子が形成される。画素部５１１はこのよ
うな画素がマトリクス状の配列されて形成されている。
【００５６】
ここで５１４aは電圧を加えることで赤色に発光する有機ＥＬ材料（以下、有機ＥＬ材
料（Ｒ）という）と溶媒との混合物（以下、塗布液（Ｒ）という）、５１４bは電圧を加
えることで緑色に発光する有機ＥＬ材料（以下、有機ＥＬ材料（Ｇ）という）と溶媒との
混合物（以下、塗布液（Ｇ）という）、５１４cは電圧を加えることで青色に発光する有
機ＥＬ材料（以下、有機ＥＬ材料（Ｂ）という）と溶媒との混合物（以下、塗布液（Ｂ）
という）である。
【００５７】
なお、これらの有機ＥＬ材料はポリマー重合したものを直接溶媒に溶かして塗布する方
法と、モノマーを溶媒に溶かしたものを成膜した後に加熱重合させてポリマーとする方法
とがあるが、本発明はどちらでも構わない。ここではポリマーとなった有機ＥＬ材料を溶
媒に溶かして塗布した例を示す。
【００５８】
本発明の場合、図４に示したヘッド部４０７からは塗布液（Ｒ）５１４a、塗布液（Ｇ
）５１４b、塗布液（Ｂ）５１４cが別々に塗布され、矢印の方向に向かって塗布される。
即ち、赤色に発光すべき画素列、緑色に発光すべき画素列及び青色に発光すべき画素列に
、同時にストライプ状の発光層（厳密には発光層の前駆体）が形成される。
【００５９】
なお、ここでいう画素列とはバンク５２１に仕切られた画素の列を指し、バンク５２１
はソース配線の上方に形成されている。即ち、ソース配線に沿って複数の画素が直列に並
んだ列を画素列と呼んでいる。但し、ここではバンク５２１がソース配線の上方に形成さ
れた場合を説明したが、ゲート配線の上方に設けられていても良い。この場合は、ゲート
配線に沿って複数の画素が直列に並んだ列を画素列と呼ぶ。
【００６０】
従って、画素部５１１は、複数のソース配線もしくは複数のゲート配線の上方に設けら
れたストライプ状のバンクにより分割された複数の画素列の集合体として見ることができ
る。そのようにして見た場合、画素部５１１は、赤色に発光するストライプ状の発光層が
形成された画素列、緑色に発光するストライプ状の発光層が形成された画素列及び青色に
発光するストライプ状の発光層が形成された画素列からなるとも言える。
【００６１】
また、上記ストライプ状のバンクは、複数のソース配線もしくは複数のゲート配線の上
方に設けられているため、実質的に画素部５１１は、複数のソース配線もしくは複数のゲ
ート配線により分割された複数の画素列の集合体と見ることもできる。
【００６２】
次に、図５（Ａ）に示したヘッド部（塗布部と言っても良い）４０７の様子を拡大して
図５（Ｂ）に示す。
【００６３】
ヘッド部４０７には赤色用ノズル５１６a、緑色用ノズル５１６b、青色用ノズル５１６
cが取り付けられている。また各々のノズルの内部には塗布液（Ｒ）５１４a、塗布液（Ｇ
）５１４b、塗布液（Ｂ）５１４cが蓄えられている。これらの塗布液は、配管５１７内に
充填された圧縮ガスにより加圧されて画素部５１１上に押し出される。このようなヘッド
部４０７が紙面に垂直な方向に沿って手前方向に移動することで図５（Ａ）に示したよう
な塗布工程が行われる。
【００６４】
ここで５１８で示される塗布部付近の拡大図を図５（Ｃ）に示す。基板５１０上に設け
られた画素部５１１は、複数のＴＦＴ５１９a〜５１９cと画素電極５２０a〜５２０cとで
なる複数の画素の集合体である。図５（Ｂ）のノズル５１６a〜５１６cに圧縮ガスにより
圧力がかかると、その圧力により塗布液５１４a〜５１４cが押し出される。
【００６５】
なお、画素間には樹脂材料で形成されたバンク５２１が設けられており、隣接する画素
間で塗布液が混合されてしまうことを防いでいる。この構造ではバンク５２１の幅（フォ
トリソグラフィの解像度で決まる）を狭くすることで画素部の集積度が向上し、高精細な
画像を得ることができる。特に塗布液の粘性が１〜３０ｃｐの場合に有効である。
【００６６】
但し、塗布液の粘性が３０ｃｐ以上またはゾル状もしくはゲル状であればバンクを用い
ないことも可能である。即ち、塗布後の塗布液と塗布面との接触角が十分に大きければ必
要以上に塗布液が広がることもないので、バンクで堰き止めておく必要もなくなる。その
場合は、最終的に発光層が長円形状（長径と短径の比が２以上の細長い楕円形状）、典型
的には画素部の一端から他端にまで及ぶ細長い楕円状で形成されることになる。
【００６７】
また、バンク５２１を形成しうる樹脂材料としてはアクリル、ポリイミド、ポリアミド
、ポリイミドアミドを用いることができる。この樹脂材料に予めカーボンや黒色顔料等を
設けて樹脂材料を黒色化しておくと、バンク５２１を画素間の遮光膜として用いることも
可能となる。
【００６８】
また、ノズル５１６a、５１６bまたは５１６cのいずれかの先端付近に光反射を用いた
センサーを取り付ければ、塗布面とノズルとの距離を常に一定に保つように調節すること
も可能である。さらに、画素ピッチ（画素間の距離）に応じてノズル５１６a〜５１６cの
間隔を調節する機構を備えることで、どのような画素ピッチのＥＬ表示装置にも対応する
ことが可能である。
【００６９】
こうしてノズル５１６a〜５１６cから塗布された塗布液５１４a〜５１４cは各々画素電
極５２０a〜５２０cを覆うようにして塗布される。なお、以上のようなヘッド部４０７の
動作は電気的な信号により制御される。
【００７０】
塗布液５１４a〜５１４cを塗布したら真空中で加熱処理（ベーク処理または焼成処理）
することにより塗布液５１４a〜５１４cに含まれる有機溶媒を揮発させ、有機ＥＬ材料で
なる発光層を形成する。このため、有機溶媒は有機ＥＬ材料のガラス転移温度（Ｔｇ）よ
りも低い温度で揮発するものを用いる。また、有機ＥＬ材料の粘度により最終的に形成さ
れる発光層の膜厚が決まる。この場合、有機溶媒の選定または添加物により粘度を調節す
ることができるが、粘度は１〜５０ｃｐ（好ましくは５〜２０ｃｐ）とするのが好ましい
。
【００７１】
以上のような液相成膜室を用いることにより、赤、緑、青の各色に発光する三種類の発
光層を同時に形成することができるため、高いスループットでポリマー系有機ＥＬ材料で
なる発光層を形成することができる。さらに、インクジェット方式と異なり、一つの画素
列では切れ間なくストライプ状に塗布していくことができるため、非常にスループットが
高い。
【００７２】
また、本実施例の液相成膜室を用いる場合においても、本発明により酸素をゲッタリン
グしておくことで信頼性の高いＥＬ素子を形成することができる。なお、本実施例の液相
成膜室は実施例１に示した液相成膜室（スピンコータ室）と併用して用いることも可能で
ある。
【実施例３】
【００７３】
本実施例では、実施例２の図５に示した液相成膜室のヘッド部の構造を異なるものとし
た液相成膜室について説明する。なお、図５と同一の符号を用いている部分に関する記載
は実施例２を参照すれば良い。
【００７４】
図６（Ａ）は本実施例の液相成膜室のヘッド部を示している。ノズル６０１a〜６０１c
の内部には、各々ノズルと同軸のロッド６０２a〜６０２cが設けられている。さらに、ノ
ズル６０１a〜６０１cの内部には、塗布液（Ｒ）６０３a、塗布液（Ｇ）６０３b、塗布液
（Ｂ）６０３cが蓄えられている。このロッド６０２a〜６０２cを設けることにより、塗
布液の固化によるノズルの目詰まりを抑制することができる。
【００７５】
このとき、ノズル６０１a〜６０１cの内壁は塗布液に対して疎水性とし、ロッド６０２
a〜６０２cの表面は塗布液に対して親水性とすると良い。ノズル６０１a〜６０１cの内壁
を疎水性とするには形成材料として疎水性を示す材料を用いれば良く、代表的にはテフロ
ン、ＰＶＤＦ（ポリビニリデンフロライド）または金属（代表的にはステンレス、アルミ
ニウム、ジルコニウム）とすれば良い。また、ロッド６０２a〜６０２cの表面を親水性と
するには形成材料として親水性を示す材料を用いれば良く、代表的にはナイロンまたはＰ
ＶＡ（ポリビニルアルコール）とすれば良い。
【００７６】
また、ノズル６０１a〜６０１cを金属で形成し、ノズル６０１a〜６０１cに超音波をか
けることで、塗布液（Ｒ）６０３a、塗布液（Ｇ）６０３b、塗布液（Ｂ）６０３cの固化
を抑制することも可能である。
【００７７】
ところで、塗布液（Ｒ）６０３a、塗布液（Ｇ）６０３b、塗布液（Ｂ）６０３cの塗布
はロッド６０２a〜６０２cが被成膜面（本実施例では画素電極５２０a〜５２０cの表面）
に接した状態で行われる。ロッド６０２a〜６０２cは非常に柔らかい材料で形成され、被
成膜面をなぞるように移動する。この様子を図６（Ｂ）に示す。
【００７８】
矢印の方向はノズル６０１aの移動方向であり、ロッド６０２aは画素電極５２０aに接
している。即ち、塗布液（Ｒ）６０３aはロッド６０２aを伝って画素電極５２０aの表面
に塗布される。従って、インクジェット法のように塗布液を飛ばす必要がなく、塗布時の
位置ずれといった問題を生じない。
【００７９】
以上のように、本実施例のヘッド部を設けた液相成膜室はノズルの目詰まりといった問
題を解消しつつ、細かいパターンにも対応して有機ＥＬ材料を成膜することが可能である
。また、本発明と組み合わせることで、信頼性の高いＥＬ素子を形成することができる。
【００８０】
なお、本実施例の構成は実施例２に示した液相成膜室のヘッド部として用いることが可
能であり、図１の液相成膜室として用いることが可能である。また、実施例１の液相成膜
室と併用しても構わない。
【実施例４】
【００８１】
本実施例では、実施例３に示したノズルの構造をとは異なる構造のノズルを有した液相
成膜室について説明する。なお、図７（Ａ）は塗布前後の待機状態を示しており、図７（
Ｂ）は塗布時の状態を示している。また、図７（Ｃ）、（Ｄ）
はノズルの断面を上から見た図を示している。
【００８２】
図７（Ａ）において、７０１はノズル、７０２はロッド、７０３は塗布液である。各々
の材料は実施例２、実施例３を参照すれば良い。また、ノズル７０１の内壁を塗布液に対
して疎水性にし、ロッド７０２を親水性にしても良い。
【００８３】
本実施例のノズル７０１は内壁にロッドストッパ部７０４a、７０４bを有し、ロッドス
トッパ部７０４aは中央に塗布液を通すための孔が設けられている。また、ロッド７０２
はストッパ部７０５を有し、ストッパ部７０５の直径はロッドストッパ部７０４aに設け
られた孔の直径よりも大きい。
【００８４】
即ち、図７（Ａ）に示すようにストッパ部７０５はロッドストッパ部７０４に引っかか
るようになっており、塗布前後の待機状態では塗布液７０３の移動経路が封じられるよう
な仕組みになっている。その結果、待機状態では塗布液７０３がノズルの先端から流出し
ない。
【００８５】
また、図７（Ｂ）に示すように、塗布液を塗布する際はロッド７０２の先端部７０６が
被成膜面７０７に接し、ロッド７０２がノズル７０１の内部に押し込まれる。そして、ス
トッパ部７０５がロッドストッパ部７０４bに接した状態でロッド７０２が止まる。この
状態で、塗布液７０３はロッド７０２を伝ってノズルから流出し、被成膜面７０７に塗布
される。
【００８６】
このとき、ロッドの先端部７０６は球状としておくことが望ましい。こうすることで被
成膜面７０７を傷つけることを防ぐことができる。
【００８７】
以上の構造のノズルを有した本実施例の液相成膜室は、実施例２で説明したサックバッ
ク機構を設けなくても塗布液の流出を防ぐことができる。また、本発明と組み合わせるこ
とで、信頼性の高いＥＬ素子を形成することができる。なお、本実施例の構成は実施例２
に示した液相成膜室のヘッド部として用いることが可能であり、図１の液相成膜室として
用いることが可能である。また、実施例１の液相成膜室と併用しても構わない。
【実施例５】
【００８８】
本実施例では、図１の成膜装置において前処理室１１０にプラズマ処理を行う機構を備
える例を示す。ＥＬ素子の陰極表面に前処理を行う場合、金属からなる陰極表面の自然酸
化物を除去することが望ましい。本実施例では、フッ素または塩素を含むガスを用いて陰
極表面にプラズマ処理を行い、自然酸化物を除去する機構を有する。
【００８９】
なお、本実施例の構成は、実施例１〜実施例３に示したいずれの構成とも自由に組み合
わせて実施することが可能である。
【実施例６】
【００９０】
本実施例では、図１の成膜装置において前処理室１１０にスパッタ処理を行う機構を備
える例を示す。ＥＬ素子の陰極表面に前処理を行う場合、金属からなる陰極表面の自然酸
化物を除去することが望ましい。本実施例では、希ガスや窒素等の不活性ガスを用いて陰
極表面に対してスパッタ処理を行い、自然酸化物を除去する機構を有する。
【００９１】
なお、本実施例の構成は、実施例１〜実施例３に示したいずれの構成とも自由に組み合
わせて実施することが可能である。
【実施例７】
【００９２】
本実施例では、図１に示した成膜装置を用いて発光装置（具体的にはＥＬ表示装置）を
作製する例を示す。
【００９３】
まず、基板上に公知の技術によりＴＦＴを作製し、画素部及び駆動回路部とを形成する
。本実施例では本出願人による特開平５−１０７５６１号公報に記載の技術を用いて同一
基板上に画素部及び駆動回路部を形成する。なお、画素部に設けられる画素ＴＦＴには透
明導電膜からなる画素電極が電気的に接続され、この画素電極がＥＬ素子の陽極となる。
【００９４】
ＴＦＴ及び画素電極の形成までを終えた基板（以下、アクティブマトリクス基板という
）が完成したら、そのアクティブマトリクス基板を図１のストック室１０５に設置する。
【００９５】
次に、前処理室１１０へアクティブマトリクス基板を搬送し、画素電極の表面に対して
前処理を行う。本実施例では、オゾン雰囲気において紫外光を照射することで画素電極の
表面状態を改善する。
【００９６】
次に、気相成膜室１１１にアクティブマトリクス基板を搬送し、正孔注入層として銅フ
タロシアニン膜を蒸着法により形成する。本実施例では、膜厚を２０ｎｍとするが特に限
定はない。
【００９７】
次に一旦アクティブマトリクス基板をストック室１０５に戻し、そのアクティブマトリ
クス基板を搬送機構（Ｂ）１０７により焼成室１０８へと搬送する。このとき、焼成室で
はアクティブマトリクス基板を反転させ、ＴＦＴを形成した面が上を向くようにする。
【００９８】
次に、反転させたアクティブマトリクス基板を図２に示される構造の液相成膜室１０９
へ搬送する。なお、液相成膜室１０９は実施例１〜４のいずれの構造を有していても良い
。そして、まず酸化セル２０５内にて酸化剤（本実施例ではマグネシウム）を酸化させ、
液相成膜室１０９の内部の酸素濃度を１ｐｐｂ以下にまで低減する。その後、スピンコー
ト法によりジクロロメタンに溶解させたポリフェニレンビニレンの前駆体を塗布する。
【００９９】
次に、上記前駆体を塗布したアクティブマトリクス基板を焼成室１０８へ搬送し、ポリ
フェニレンビニレンの前駆体を焼成する。こうして前駆体が重合してポリマー化し、ポリ
フェニレンビニレン膜からなる発光層が形成される。焼成処理が終了したら再度アクティ
ブマトリクス基板を反転させてストック室１０５へ戻す。
【０１００】
次に、アクティブマトリクス基板を気相成膜室１１１に搬送し、膜厚４００ｎｍのアル
ミニウム膜を蒸着する。このアルミニウム膜がＥＬ素子の陰極として機能する。なお、本
実施例で用いるアルミニウム膜はチタン、スカンジウムもしくはシリコンを含むアルミニ
ウム合金膜であっても良い。また、アルミニウム膜の代わりに銅もしくは銅合金または銀
からなる導電膜を形成しても良い。
【０１０１】
次に、アクティブマトリクス基板を不活性ガス（窒素ガスまたは希ガス）で充填された
封止室１１２へ搬送する。ここではアクティブマトリクス基板上にシール材を形成し、Ｅ
Ｌ素子が形成された面を覆うようにカバー材を貼り合わせる。
そのため、ＥＬ素子が不活性ガスの充填された密閉空間に封入され、完全に外気と遮断さ
れる。なお、密閉空間に吸湿性物質（好ましくは酸化バリウム）を設けることは有効であ
る。また、不活性ガスの代わりに樹脂を充填することも可能である。その場合も、樹脂中
に吸湿性物質を設けることは有効である。
【０１０２】
こうしてアクティブマトリクス基板及びカバー材をシール材により張り合わせたら、紫
外光照射機構１１３を用いてシール材に紫外光を照射し硬化させる。以上のようにしてＥ
Ｌ素子の封入処理が終了したら、受渡室１１４へ封入後のアクティブマトリクス基板を搬
送する。
【０１０３】
以上のように、本発明の成膜装置を用いることで極力酸素を排除した環境でＥＬ素子が
形成され、完全に外気と遮断された状態となるまでのプロセスを一貫して行うことが可能
である。
【０１０４】
なお、本実施例ではアクティブマトリクス型ＥＬ表示装置の作製工程の例を示している
が、本実施例はパッシブマトリクス型ＥＬ表示装置の作製工程に対しても実施できる。ま
た、本実施例はバックライト等に用いられる発光装置の作製工程に対しても実施できる。
【実施例８】
【０１０５】
本実施例では、図１に示した成膜装置を用いて実施例７とは異なる構造の発光装置を作
製する例を示す。なお、本実施例ではアクティブマトリクス型ＥＬ表示装置を例にとって
説明する。
【０１０６】
まず、基板上に特開平５−１０７５６１号公報に記載の技術を用いて画素部及び駆動回
路部を形成する。なお、本実施例では画素電極としてアルミニウムもしくはアルミニウム
合金からなる導電膜を用いる。即ち、本実施例では画素電極がＥＬ素子の陰極となる。
【０１０７】
アクティブマトリクス基板が完成したら、そのアクティブマトリクス基板を図１のスト
ック室１０５に設置する。
【０１０８】
次に、前処理室１１０へアクティブマトリクス基板を搬送し、画素電極の表面に対して
前処理を行う。本実施例では、フッ素または塩素を含むガスを用いて画素電極の表面に対
してプラズマ処理を行い、自然酸化物を除去する。
【０１０９】
次に、気相成膜室１１１にアクティブマトリクス基板を搬送し、電子注入層としてフッ
化リチウム膜を蒸着法により形成する。本実施例では、膜厚を２０ｎｍとするが特に限定
はない。
【０１１０】
次に一旦アクティブマトリクス基板をストック室１０５に戻し、そのアクティブマトリ
クス基板を搬送機構（Ｂ）１０７により焼成室１０８へと搬送する。次いでアクティブマ
トリクス基板を反転させる。
【０１１１】
次に、反転させたアクティブマトリクス基板を図４に示される構造の液相成膜室１０９
へ搬送する。そして、まず酸化セル４０９内にて酸化剤（本実施例ではナトリウム）を酸
化させ、液相成膜室１０９の内部の酸素濃度を１ｐｐｂ以下にまで低減する。その後、図
５に示した塗布法によりトルエンに溶解させたポリビニルカルバゾールの前駆体を塗布す
る。
【０１１２】
次に、上記前駆体を塗布したアクティブマトリクス基板を焼成室１０８へ搬送し、ポリ
ビニルカルバゾールの前駆体を焼成する。こうして前駆体が重合してポリマー化し、ポリ
ビニルカルバゾール膜からなる発光層が形成される。焼成処理が終了したら再度アクティ
ブマトリクス基板を反転させてストック室１０５へ戻す。
【０１１３】
次に、アクティブマトリクス基板を気相成膜室１１１に搬送し、膜厚２０ｎｍの銅フタ
ロシアニン膜を蒸着し、さらに膜厚２００ｎｍ透明導電膜（具体的には酸化インジウムと
酸化亜鉛との化合物膜）を蒸着する。この透明導電膜がＥＬ素子の陽極として機能する。
なお、本実施例で用いる透明導電膜は酸化インジウムと酸化スズとの化合物膜であっても
良い。
【０１１４】
次に、アクティブマトリクス基板を不活性ガス（窒素ガスまたは希ガス）で充填された
封止室１１２へ搬送する。ここではアクティブマトリクス基板上にシール材を形成し、Ｅ
Ｌ素子が形成された面を覆うようにカバー材を貼り合わせる。
そのため、ＥＬ素子が不活性ガスの充填された密閉空間に封入され、完全に外気と遮断さ
れる。なお、密閉空間に吸湿性物質（好ましくは酸化バリウム）を設けることは有効であ
る。また、不活性ガスの代わりに樹脂を充填することも可能である。その場合も、樹脂中
に吸湿性物質を設けることは有効である。
【０１１５】
こうしてアクティブマトリクス基板及びカバー材をシール材により張り合わせたら、紫
外光照射機構１１３を用いてシール材に紫外光を照射し硬化させる。以上のようにしてＥ
Ｌ素子の封入処理が終了したら、受渡室１１４へ封入後のアクティブマトリクス基板を搬
送する。
【０１１６】
以上のように、本発明の成膜装置を用いることで極力酸素を排除した環境でＥＬ素子が
形成され、完全に外気と遮断された状態となるまでのプロセスを一貫して行うことが可能
である。
【実施例９】
【０１１７】
本実施例では、本発明を用いて作製したアクティブマトリクス型ＥＬ表示装置について
図８（Ａ）、（Ｂ）を用いて説明する。図８（Ａ）は、ＥＬ素子の形成されたアクティブ
マトリクス基板において、ＥＬ素子の封入まで行った状態を示す上面図である。点線で示
された８０１はソース側駆動回路、８０２はゲート側駆動回路、８０３は画素部である。
また、８０４はカバー材、８０５は第１シール材、８０６は第２シール材であり、第１シ
ール材８０５で囲まれた内側のカバー材とアクティブマトリクス基板との間には充填材８
０７（図８（Ｂ）参照）が設けられる。
【０１１８】
なお、８０８はソース側駆動回路８０１、ゲート側駆動回路８０２及び画素部８０３に
入力される信号を伝達するための接続配線であり、外部機器との接続端子となるＦＰＣ（
フレキシブルプリントサーキット）８０９からビデオ信号やクロック信号を受け取る。
【０１１９】
ここで、図８（Ａ）をＡ−Ａ’で切断した断面に相当する断面図を図８（Ｂ）
に示す。なお、図８（Ａ）、（Ｂ）では同一の部位に同一の符号を用いている。
【０１２０】
図８（Ｂ）に示すように、基板８００上には画素部８０３、ソース側駆動回路８０１が
形成されており、画素部８０３はＥＬ素子に流れる電流を制御するためのＴＦＴ（以下、
電流制御用ＴＦＴという）８５１とそのドレインに電気的に接続された画素電極８５２を
含む複数の画素により形成される。本実施例では電流制御用ＴＦＴ８５１をｐチャネル型
ＴＦＴとする。また、ソース側駆動回路８０１はｎチャネル型ＴＦＴ８５３とｐチャネル
型ＴＦＴ８５４とを相補的に組み合わせたＣＭＯＳ回路を用いて形成される。
【０１２１】
各画素は画素電極の下にカラーフィルタ（Ｒ）８５５、カラーフィルタ（Ｇ）
８５６及びカラーフィルタ（Ｂ）（図示せず）を有している。ここでカラーフィルタ（Ｒ
）とは赤色光を抽出するカラーフィルタであり、カラーフィルタ（Ｇ）
は緑色光を抽出するカラーフィルタ、カラーフィルタ（Ｂ）は青色光を抽出するカラーフ
ィルタである。なお、カラーフィルタ（Ｒ）８５５は赤色発光の画素に、カラーフィルタ
（Ｇ）８５６は緑色発光の画素に、カラーフィルタ（Ｂ）は青色発光の画素に設けられる
。
【０１２２】
これらのカラーフィルタを設けた場合の効果としては、まず発光色の色純度が向上する
点が挙げられる。例えば赤色発光の画素からはＥＬ素子から赤色光が放射される（本実施
例では画素電極側に向かって放射される）が、この赤色光を、赤色光を抽出するカラーフ
ィルタに通すことにより赤色の純度を向上させることができる。このことは、他の緑色光
、青色光の場合においても同様である。
【０１２３】
また、従来のカラーフィルタを用いない構造ではＥＬ表示装置の外部から侵入した可視
光がＥＬ素子の発光層を励起させてしまい、所望の発色が得られない問題が起こりうる。
しかしながら、本実施例のようにカラーフィルタを設けることでＥＬ素子には特定の波長
の光しか入らないようになる。即ち、外部からの光によりＥＬ素子が励起されてしまうよ
うな不具合を防ぐことが可能である。
【０１２４】
なお、カラーフィルタを設ける構造は従来提案されているが、ＥＬ素子は白色発光のも
のを用いていた。この場合、赤色光を抽出するには他の波長の光をカットしていたため、
輝度の低下を招いていた。しかしながら、本実施例では、例えばＥＬ素子から発した赤色
光を、赤色光を抽出するカラーフィルタに通すため、輝度の低下を招くようなことがない
。
【０１２５】
次に、画素電極８５２は透明導電膜で形成され、ＥＬ素子の陽極として機能する。また
、画素電極８５２の両端には絶縁膜８５７が形成され、さらに赤色に発光する発光層８５
８、緑色に発光する発光層８５９が形成される。なお、図示しないが隣接する画素には青
色に発光する発光層を設けられ、赤、緑及び青に対応した画素によりカラー表示が行われ
る。勿論、青色の発光層が設けられた画素は青色を抽出するカラーフィルタが設けられて
いる。
【０１２６】
なお、発光層８５８、８５９の成膜方法は図１に示した成膜装置を用いて行われる。ま
た、実際に発光層を成膜する液相成膜室は実施例１〜４のいずれの構成を有する液相成膜
室であっても良い。また、材料として有機材料だけでなく無機材料を用いることができる
。また、発光層だけでなく電子注入層、電子輸送層、正孔輸送層または正孔注入層を組み
合わせた積層構造としても良い。
【０１２７】
また、各発光層の上にはＥＬ素子の陰極８６０が遮光性を有する導電膜でもって形成さ
れる。この陰極８６０は全ての画素に共通であり、接続配線８０８を経由してＦＰＣ８０
９に電気的に接続されている。
【０１２８】
次に、第１シール材８０５をディスペンサー等で形成し、スペーサ（図示せず）を撒布
してカバー材８０４を貼り合わせる。そして、アクティブマトリクス基板、カバー材８０
４及び第１シール材８０５で囲まれた領域内に充填材８０７を真空注入法により充填する
。
【０１２９】
また、本実施例では充填材８０７に予め吸湿性物質８６１として酸化バリウムを添加し
ておく。なお、本実施例では吸湿性物質を充填材に添加して用いるが、塊状に分散させて
充填材中に封入することもできる。また、図示されていないがスペーサの材料として吸湿
性物質を用いることも可能である。
【０１３０】
次に、充填材８０７を紫外線照射または加熱により硬化させた後、第１シール材８０５
に形成された開口部（図示せず）を塞ぐ。第１シール材８０５の開口部を塞いだら、導電
性材料８６２を用いて接続配線８０８及びＦＰＣ８０９を電気的に接続させる。さらに、
第１シール材８０５の露呈部及びＦＰＣ８０９の一部を覆うように第２シール材８０６を
設ける。第２シール材８０６は第１シール材８０７と同様の材料を用いれば良い。
【０１３１】
以上のような方式を用いてＥＬ素子を充填材８０７に封入することにより、ＥＬ素子を
外部から完全に遮断することができ、外部から水分や酸素等の有機材料の酸化を促す物質
が侵入することを防ぐことができる。従って、信頼性の高いＥＬ表示装置を作製すること
ができる。
【０１３２】
また、本発明を用いることで既存の液晶表示装置用の製造ラインを転用させることがで
きるため、整備投資の費用が大幅に削減可能であり、歩留まりの高いプロセスで１枚の基
板から複数の発光装置を生産することができるため、大幅に製造コストを低減しうる。
【０１３３】
なお、本実施例のＥＬ表示装置は実施例１〜７のいずれの構成を組み合わせた成膜装置
を用いても作製することができる。
【実施例１０】
【０１３４】
本実施例では、実施例９に示したＥＬ表示装置において、ＥＬ素子から発する光の放射
方向とカラーフィルタの配置を異ならせた場合の例について示す。説明には図９を用いる
が、基本的な構造は図８（Ｂ）と同様であるので変更部分に新しい符号を付して説明する
。
【０１３５】
本実施例では画素部９０１には電流制御用ＴＦＴ９０２としてｎチャネル型ＴＦＴが用
いられている。また、電流制御用ＴＦＴ９０２のドレインには画素電極９０３が電気的に
接続され、この画素電極９０３は遮光性を有する導電膜で形成されている。本実施例では
画素電極９０３がＥＬ素子の陰極となる。
【０１３６】
また、本発明を用いて形成された赤色に発光する発光層８５８、緑色に発光する発光層
８５９の上には各画素に共通な透明導電膜９０４が形成される。この透明導電膜９０４は
ＥＬ素子の陽極となる。
【０１３７】
さらに、本実施例ではカラーフィルタ（Ｒ）９０５、カラーフィルタ（Ｇ）９０６及び
カラーフィルタ（Ｂ）（図示せず）がカバー材８０４に形成されている点に特徴がある。
本実施例のＥＬ素子の構造とした場合、発光層から発した光の放射方向がカバー材側に向
かうため、図９の構造とすればその光の経路にカラーフィルタを設置することができる。
【０１３８】
本実施例のようにカラーフィルタ（Ｒ）９０５、カラーフィルタ（Ｇ）９０６及びカラ
ーフィルタ（Ｂ）（図示せず）をカバー材８０４に設けると、アクティブマトリクス基板
の工程を少なくすることができ、歩留まり及びスループットの向上を図ることができると
いう利点がある。
【０１３９】
なお、本実施例のＥＬ表示装置は実施例１〜８のいずれの構成を組み合わせた成膜装置
を用いても作製することができる。
【図１】
0005463406.tif 000002
【図２】
0005463406.tif 000003
【図３】
0005463406.tif 000004
【図４】
0005463406.tif 000005
【図５】
0005463406.tif 000006
【図６】
0005463406.tif 000007
【図７】
0005463406.tif 000008
【図８】
0005463406.tif 000009
【図９】
0005463406.tif 000010